(57)【特許請求の範囲】
【請求項１】
コンタクトレンズ及び薬液を収容する凹状の第一及び第二収容部が並設されたケース本体部と、
該ケース本体部に第二ヒンジを介して連結されて前記第一及び第二収容部を開閉可能な蓋部と、
前記ケース本体部に第一ヒンジを介して連結されるとともに、前記薬液が収容されたボトルに着脱自在に嵌合されるリング体と、
が備えられ、
前記第一ヒンジ及び前記第二ヒンジは、平面視で対向するように配置されていることを特徴とするコンタクトレンズケース。
【請求項２】
前記ケース本体部には、前記第一及び第二収容部の底部側で前記リング体を保持する係止片が設けられていることを特徴とする請求項１に記載のコンタクトレンズケース。
【発明の詳細な説明】
【技術分野】
【０００１】
本発明は、コンタクトレンズケースに関するものである。
【背景技術】
【０００２】
この種のコンタクトレンズケースとして、従来、例えば下記特許文献１に示されているような、ケア剤容器（ボトル）のキャップに着脱可能なコンタクトレンズケースが知られている。このコンタクトレンズケースは、コンタクトレンズを収容する凹状の収容部を有するケース本体部と、ケース本体部にヒンジを介して連結されて収容部に被着される開閉可能な蓋部と、が備えられている。ケース本体部は、左右のコンタクトレンズを別々に収容できるように、基台部に一対の収容部が並設されている。
また、基台部の中間部分には、ケア剤容器のキャップの鍔部に対して嵌合可能な嵌合凹部が形成されている。このコンタクトレンズケースによれば、蓋部を開けると共にケース本体部を裏返した姿勢で前記嵌合凹部をケア剤容器のキャップの鍔部に嵌合させることで、裏返した姿勢で保持される。これにより、収容部の内側や蓋部の裏面の液切れが良くなり、水洗後のコンタクトレンズケースを良好に自然乾燥させることができる。
【先行技術文献】
【特許文献】
【０００３】
【特許文献１】特開２０１０−１７８９９４号公報
【発明の概要】
【発明が解決しようとする課題】
【０００４】
しかしながら、上記した特許文献１のコンタクトレンズケースでは、ケア剤容器の上蓋の鍔部の形状に嵌合凹部を嵌合させる構成であるため、その嵌合凹部に対応した形状の鍔部を有するケア剤容器のみの使用となり、適用可能な形状のケア剤容器が限定されてしまうという問題があった。そのため、ケア剤容器（ボトル）の形状に依存されることなく、種々の異なる形状のケア剤容器に対して共通に装着して自然乾燥できるコンタクトレンズケースが求められており、その点で改良の余地があった。
【０００５】
本発明は、このような事情に鑑みてなされたものであって、ボトル形状に依存されることなく、種々の形状のボトルに対して装着して自然乾燥を行うことができるコンタクトレンズケースを提供することを目的とする。
【課題を解決するための手段】
【０００６】
上記の目的を達成するために、この発明は以下の手段を提供している。
本発明に係るコンタクトレンズケースは、コンタクトレンズ及び薬液を収容する凹状の第一及び第二収容部が並設されたケース本体部と、該ケース本体部に第二ヒンジを介して連結されて前記第一及び第二収容部を開閉可能な蓋部と、前記ケース本体部に第一ヒンジを介して連結されるとともに、前記薬液が収容されたボトルに着脱自在に嵌合されるリング体と、が備えられ、前記第一ヒンジ及び前記第二ヒンジは、平面視で対向するように配置されていることを特徴としている。
【０００７】
このような特徴により、コンタクトレンズケースの第一及び第二収容部を自然に乾燥させる際には、蓋部を開いた状態で、第一及び第二収容部の開口側が下向きとなるようにケース本体部を上下に反転させた姿勢にしてリング体をボトルの口部などに嵌合することが可能となる。これにより、ケース本体部がボトルに対して裏返しの姿勢で保持され、第一及び第二収容部を下向きの状態で自然乾燥させることができる。
【０００８】
なお、例えばリング体をＣ型状とすれば、径方向の開口部分を周方向に拡げることも可能となるので、口部などの大きさ、形状が異なる複数種のボトルに対しても容易に装着することができる。
【０００９】
また、リング体は第一ヒンジを介してケース本体部に連結されており、リング体とケース本体部との相対角度を変更することができるので、ケース本体部をボトルの外面形状に沿わせた姿勢にして配置することができる。これにより、ボトルにリング体を装着させたケース本体部をボトルの外面上に預けて支持させることで、ケース本体部の姿勢の安定感を向上させることができる。
このように、本コンタクトレンズケースでは、ボトル形状に依存することなく、種々の形状のボトルに対しても使用することが可能となり、汎用性を高めることができる。
【００１０】
さらに、第一及び第二収容部の開口側を上向きにしてリング体をボトルに嵌合させることも可能である。そのため、水洗いした後などの自然乾燥時だけでなく、保存・消毒時にも本コンタクトレンズケースをボトルに装着して使用することができる。この場合、第一及び第二収容部にレンズ及び薬液を入れたケース本体部を蓋部で閉じた姿勢で装着することが可能である。
【００１１】
また、上記本発明のコンタクトレンズケースでは、前記ケース本体部には、前記第一及び第二収容部の底部側で前記リング体を保持する係止片が設けられていることが好ましい。
【００１２】
この場合には、リング体を第一ヒンジで回転させて第一及び第二収容部の底部側へ畳み込んで係止片に係止させて保持することで、そのリング体を第一及び第二収容部の底部側部分に収容することができる。そのため、リング体がケース本体より外側に張り出されることがなく、携帯したり保管したりするのに好適となる利点がある。
【発明の効果】
【００１３】
本発明に係るコンタクトレンズケースによれば、ボトル形状に依存されることなく、種々の形状のボトルに対して装着して自然乾燥を行うことができる。
【図面の簡単な説明】
【００１４】
【図１】本発明の実施形態よるコンタクトレンズケースの平面図であって、蓋部が開いた状態の図である。
【図２】図１に示すＡ−Ａ線断面図である。
【図３】コンタクトレンズケースを前方から見た側面図である。
【図４】図１に示すコンタクトレンズケースを下面側から見た図であって、蓋部を閉じ、リング体を畳み込んで収容した状態の図である。
【図５】図４に示すＢ−Ｂ線断面図である。
【図６】コンタクトレンズケースをボトルに装着した状態を示す一部破断側面図であって、乾燥時の姿勢を表した図である。
【図７】コンタクトレンズケースをボトルに装着した状態を示す一部破断側面図であって、保管・消毒時の姿勢を表した図である。
【発明を実施するための形態】
【００１５】
以下、本発明に係るコンタクトレンズケースの実施形態について図面を参照して説明する。
図１及び図２に示すように、本実施形態のコンタクトレンズケース１は、コンタクトレンズを保管するための合成樹脂からなるプラスチック容器であり、その概略構成としては、コンタクトレンズ及び保存液、消毒液などの薬液を収容する凹状の第一収容部２０Ｒ及び第二収容部２０Ｌが並設されたケース本体部２と、ケース本体部２に第二ヒンジ６を介して連結されて第一収容部２０Ｒ及び第二収容部２０Ｌを開閉可能な蓋部３と、ケース本体部２に第一ヒンジ５を介して連結されるとともに薬液が収容されたボトル１０（図６参照）に着脱自在に嵌合されるリング体４と、を備えている。
【００１６】
ここで、図１において、第一収容部２０Ｒ及び第二収容部２０Ｌの中心軸線をそれぞれＯ１、Ｏ２としている。尚、中心軸線Ｏ１、Ｏ２は平行に配置されている。また、図１に示す符号Ｃは、平面視で前記２つの中心軸線Ｏ１、Ｏ２に直交し、その間を結ぶ直線Ｑの中心を通るとともに、その直線Ｑに直交する容器中心線を示している。さらに、本実施形態では、平面視において、第一収容部２０Ｒ及び第二収容部２０Ｌの並び方向（直線Ｑに沿って平行な方向）を「左右方向Ｘ」とし、その左右方向Ｘに直交する方向（容器中心線Ｃに沿って平行な方向）を「前後方向Ｙ」とする。図１において、前後方向Ｙに沿って前記リング体４が張り出される（ケース本体部２の外方に回動されてケース本体部２から露出された状態）側を前側といい、その反対側を後側という。また、上記した中心軸線Ｏ１、Ｏ２に沿った方向を「上下方向Ｚ」とし、図２において上下方向Ｚに沿って第一、第二収容部２０Ｒ、２０Ｌの開口縁側を上側といい、その反対側（底部側）を下側という。
【００１７】
図１及び図２に示すように、ケース本体部２は、開口を下側に向けた有頂筒状に形成されており、平板状の本体天壁部２１と、本体天壁部２１の外周縁端部で一体連結する本体周壁部２２と、その本体天壁部２１において左右方向Ｘに所定間隔をあけて並設されるとともに、略半球状に窪んで上側に向けて開口した前記第一収容部２０Ｒ及び第二収容部２０Ｌと、本体天壁部２１から下方へ向けて突出する一対の係止片２３、２３と、を備えている。
【００１８】
そして、本体天壁部２１の後側部分には、本体天壁部２１の上側に被着される開閉可能な蓋部３が第二ヒンジ６を介して連結されている。そのため、蓋部３を前側から後側に向かって回動させて開放することで、第一収容部２０Ｒ及び第二収容部２０Ｌの左右位置が明確に規定され、直感的に左右の視認性を高めることができる。
また、図３に示すように、本体周壁部２２の左右方向Ｘ中央において、その前方下端部には、切欠き凹部２２ａが設けられ、この切欠き凹部２２ａの上端部に第一ヒンジ５を介してリング体４が左右方向Ｘの軸回りに回転可能に連結されている。なお、これら第一ヒンジ５及び第二ヒンジ６は、容器中心線Ｃ上でケース本体部２において対向するように配置されている。
【００１９】
そして、本体天壁部２１には、第一収容部２０Ｒ及び第二収容部２０Ｌの両者を一体に囲うようにして全周にわたって延びる係合凸部２４が上方に向けて突設されている。
また、本体天壁部２１には、２つの中心軸線Ｏ１、Ｏ２を結ぶ直線Ｑ上に沿って延びるとともに、第一収容部２０Ｒと第二収容部２０Ｌの収容部分同士を連通する連通溝２５が設けられている。
これによって、第一収容部２０Ｒ及び第二収容部２０Ｌの一方に薬液を注ぐだけで、他方にも薬液が充満される。
【００２０】
第一収容部２０Ｒ及び第二収容部２０Ｌは、図２に示す縦断面視で半円弧状に形成されたボール皿状の皿部であり、これらの内側にはコンタクトレンズケア用の薬液が入れられた状態でコンタクトレンズが収容可能である。
この第一収容部２０Ｒ及び第二収容部２０Ｌの底面中央部分２０ａは、薄肉部となっており、その底面（内表面および／または外表面）には例えば彫刻、シボ、レーザー印字等の加飾が施されている。これにより、図１に示すように上方から左右を認識できるのは勿論、図４に示すように下面側からでも前記加飾を透かして見ることができるので左右が認識しやすくなる。
【００２１】
図４及び図５に示すように、一対の係止片２３、２３は、それぞれ本体天壁部２１から下方に延びる棒状部材であり、その平面視の位置はリング体４の内周面４ａに外接する位置であって、容器中心線Ｃを挟んで左右対称位置に設けられている。なお、係止片２３の下端は、本体周壁部２２の下端より上方に位置している。そして、係止片２３の下端部には、アンダーカット嵌合用の凹部２３ａが形成され、この凹部２３ａにリング体４が嵌合されて保持される。
【００２２】
図５に示すように、蓋部３は、第二ヒンジ６を介して本体天壁部２１の外周上縁部に連結されており、有頂筒状に形成され、蓋天壁部３１の外周縁から下方（蓋部３の裏側）に向けて延びるとともにケース本体部２の係合凸部２４に外嵌する蓋周壁部３２が設けられている（図１及び図２参照）。
【００２３】
蓋天壁部３１の外周縁部には、全周にわたって延びるシール部３３が下方に向けて突設されている。このシール部３３は、蓋周壁部３２の内側に配設され、係合凸部２４の内側に嵌合される。
また、シール部３３の径方向内側には、図５に示すように、第一収容部２０Ｒ及び第二収容部２０Ｌの中心軸線Ｏ１、Ｏ２と同軸に設けられ、それら第一収容部２０Ｒ及び第二収容部２０Ｌ着脱自在に嵌合する筒状部３４Ｒ、３４Ｌが下方に向けて突設されている。
【００２４】
また、蓋周壁部３２の下端には、前後方向Ｙで第二ヒンジ６と反対側の部分から外側に突出した平板状のフランジからなる鍔部３５が設けられている。この鍔部３５は、図５に示すように、蓋部３が閉じられた状態においてケース天壁部２１の前端上側に配置される。
なお、蓋部３をケース本体部２に連結する第二ヒンジ６は、左右方向Ｘの全長にわたって延在する溝が形成された折曲げ可能な板部であり、蓋部３を９０度以上の角度で開くことができる。
【００２５】
リング体４は、リング体４の中心（径方向の中央）が容器中心線Ｃ上に設けられ、その張り出し状態において前側に部分的な開口を有するＣ型状に形成されている。このリング体４は、第一ヒンジ５によって左右方向Ｘのヒンジ軸回りに回転し、図２に示す第一位置Ｐ１からケース本体部２の下側となる収容位置（図５に示す第二位置Ｐ２）まで回転可能となっている。なお、リング体４は、第一位置Ｐ１と第二位置Ｐ２との間の回転移動時において、その中心が容器中心線Ｃ上に沿って移動する。
【００２６】
リング体４をケース本体部２に連結する第一ヒンジ５は、左右方向Ｘの全長にわたって延在する溝が形成された折曲げ可能な板部であり、リング体４を略１８０度の開閉角度で折り曲げることができ、１８０度で折り曲げた状態（第二位置Ｐ２）でケース本体部２の下面側で本体周壁部２２の内側に収容させることが可能となっている。
但し、この開閉可能な角度範囲は限定されるものではない。
【００２７】
次に、上述したように構成されたコンタクトレンズケース１の作用について説明する。
図１に示すように、コンタクトレンズケース１を水洗いなどした後に第一及び第二収容部２０Ｒ、２０Ｌを自然乾燥させる際には、蓋部３を開いた状態にするとともに、リング体４を第一ヒンジ５のヒンジ軸回りに回転させて第一位置Ｐ１でケース本体部２から張り出した状態にする。そして、図６に示すように、第一及び第二収容部２０Ｒ、２０Ｌの開口側が下向きとなるようにケース本体部２を上下に反転させた姿勢にしてリング体４をボトル１０の口部１１に嵌合させる。このとき、リング体４は、Ｃ型状の開口部から口部１１に外嵌させることになる。これにより、ケース本体部２がボトル１０に対して裏返しの姿勢で保持され、第一及び第二収容部２０Ｒ、２０Ｌを下向きの状態にして自然乾燥させることができる。そのため、第一及び第二収容部２０Ｒ、２０Ｌの内部の液切れが良くなり、良好な自然乾燥を行うことができる。
【００２８】
また、リング体４がＣ型形状であるため、径方向の開口部分を周方向に拡げることも可能となるので、口部１１などの大きさ、形状が異なる複数種のボトルに対しても容易に装着することができる。
【００２９】
また、リング体４は第一ヒンジ５を介してケース本体部２に連結されており、リング体４とケース本体部２との相対角度を変更することができるので、ケース本体部２をボトル１０の外面形状に沿わせた姿勢にして配置することができる。これにより、ボトル１０にリング体４を装着させたケース本体部２をボトル１０の外面上に預けて支持させることで、ケース本体部２の姿勢の安定感を向上させることができる。
このように、ボトル形状に依存することなく、種々の形状のボトル１０に対しても使用することが可能となり、汎用性を高めることができる。
【００３０】
さらに、図７に示すように、第一及び第二収容部２０Ｒ、２０Ｌの開口側を上向きにしてリング体４をボトル１０の口部１１に嵌合させることも可能である。そのため、自然乾燥時だけでなく、保存・消毒時にも本コンタクトレンズケース１をボトル１０に装着して使用することができる。この場合、第一及び第二収容部２０Ｒ、２０Ｌにレンズ及び薬液を入れたケース本体部２を蓋部３で閉じた姿勢で装着することが可能である。
【００３１】
また、上述したように自然乾燥後、或いは保存・消毒後にコンタクトレンズケース１をボトル１０から取り外して、リング体４をケース本体部２へ収容する際には、図３及び図４に示すように、第一及び第二収容部２０Ｒ、２０Ｌの底部側でリング体４を保持する係止片２３が設けられているので、リング体４を第一ヒンジ５で回転させてケース本体部２の下側へ畳み込む。そして、リング体４を係止片２３の凹部２３ａに係止させて保持することで、そのリング体４を第一及び第二収容部２０Ｒ、２０Ｌの底部側部分に収容することができる。そのため、リング体４がケース本体２より外側に張り出されることがなく、携帯したり保管したりするのに好適となる利点がある。
【００３２】
以上、本発明に係るコンタクトレンズケースの実施の形態について説明したが、本発明は上記した実施の形態に限定されるものではなく、その趣旨を逸脱しない範囲で適宜変更可能である。
【００３３】
例えば、本実施形態ではリング体４としてＣ型状のリング体４を採用しているが、このような形状に限定されることはなく、円形のＯ型状であっても良い。この場合には、ボトル１０の口部１１の上からリング体を外嵌させることでコンタクトレンズケースをボトルに装着することができる。
【００３４】
また、本実施形態では第一ヒンジ５の位置は平面視で容器中心線Ｃ上であってケース本体部２の前側としているが、この位置に制限されることはない。要は、第一ヒンジ５を介してケース本体部２に連結可能であれば良く、ケース本体部２の下面側に収納される構成であることに制限されることはない。そのため、本実施形態の係止片２３は、省略することも可能である。
さらに、係止片２３として、本実施形態では棒状をなす一対の部材としているが、このような形状であることに限定されず、他の構成としてもかまわない。
【００３５】
また、本実施形態では第一ヒンジ５を本体周壁部２２の下側に設けているが、これはリング体４をケース本体部２の下面側に収納し易くするための構造であって、第一ヒンジ５における上下方向の位置についてもとくに制限されることはない。
【００３６】
さらに、ケース本体部２、蓋部３の形状、大きさ、コンタクトレンズの収容部の数量などの構成は、必要に応じて適宜変更することが可能である。例えば、本実施形態では第一及び第二収容部２０Ｒ、２０Ｌに共通する単体の蓋部３としているが、単体であることに限定されず、蓋部３が各収容部をそれぞれ、個別に開閉可能となるように複数設けても良い。
その他、本発明の趣旨を逸脱しない範囲で、上記した実施の形態における構成要素を周知の構成要素に置き換えることは適宜可能である。
【符号の説明】
【００３７】
１  コンタクトレンズケース
２  ケース本体部
３  蓋部
４  リング体
５  第一ヒンジ
６  第二ヒンジ
１０  ボトル
１１  口部
２０Ｒ  第一収容部
２０Ｌ  第二収容部
２１  本体天壁部
２２  本体周壁部
２３  係止片
２３ａ  凹部
２５  連通溝
３１  蓋天壁部
３２  蓋周壁部
Ｃ  容器中心線
Ｏ１、Ｏ２  中心軸線
Ｘ  左右方向
Ｙ  前後方向
Ｚ  上下方向
【図１】
0005659044.tif 000002
【図２】
0005659044.tif 000003
【図３】
0005659044.tif 000004
【図４】
0005659044.tif 000005
【図５】
0005659044.tif 000006
【図６】
0005659044.tif 000007
【図７】
0005659044.tif 000008